【手続補正書】
【提出日】平成16年5月19日(2004.5.19)
【手続補正１】
【補正対象書類名】明細書
【補正対象項目名】特許請求の範囲
【補正方法】変更
【補正の内容】
【特許請求の範囲】
【請求項１】
始動入賞口と、
入口を開閉動作する可動部材を有するとともに、該入口により受け入れられた遊技球が特別入賞口或いは一般入賞口を通過するように構成された変動入賞装置と、
を遊技盤の遊技領域に備え、
前記変動入賞装置は、当該変動入賞装置の入口より導入された遊技球を前記特別入賞口及び前記一般入賞口の前段で検出する入賞検出手段を備え、
前記始動入賞口への遊技球の入賞に基づき前記変動入賞装置の可動部材を開閉動作する予備遊技状態と、当該予備遊技状態で前記特別入賞口に遊技球が入賞したことに基づき前記変動入賞装置の可動部材を開閉動作する特別遊技状態と、に制御可能で、
前記予備遊技状態の発生により、前記特別入賞口への遊技球の入賞に基づく前記特別遊技状態の発生を有効化し、且つ、他の遊技球の前記始動入賞口への入賞に基づく予備遊技状態の発生を無効化する制御を行う制御手段を備えた遊技機において、
前記制御手段は、
前記予備遊技状態の発生に基づいた前記可動部材の開放動作時間経過後に予備時間を設け、
前記予備時間内に前記入賞検出手段が遊技球を検出しない場合は、当該予備時間の経過後に、前記特別入賞口への入賞に基づく特別遊技状態の発生を無効化するとともに前記始動入賞口への入賞に基づく予備遊技状態の発生を有効化する一方、
前記予備時間内に前記入賞検出手段が遊技球を検出した場合は、当該予備時間に延長時間を加えた時間の経過後に、前記特別入賞口への入賞に基づく前記特別遊技状態の発生を無効化するとともに前記始動入賞口への入賞に基づく前記予備遊技状態の発生を有効化することを特徴とする遊技機。
【請求項２】
始動入賞口と、
入口を開閉動作する可動部材を有するとともに、該入口により受け入れられた遊技球が特別入賞口或いは一般入賞口を通過するように構成された変動入賞装置と、
を遊技盤の遊技領域に備え、
前記変動入賞装置は、当該変動入賞装置の入口より導入された遊技球を前記特別入賞口及び前記一般入賞口の前段で検出する入賞検出手段を備え、
前記始動入賞口への遊技球の入賞に基づき前記変動入賞装置の可動部材を開閉動作する予備遊技状態と、当該予備遊技状態で前記特別入賞口に遊技球が入賞したことに基づき前記変動入賞装置の可動部材を開閉動作する特別遊技状態と、に制御可能で、
前記予備遊技状態の発生により、他の遊技球の前記始動入賞口への入賞に基づく予備遊技状態の発生を無効化し、且つ、前記入賞検出手段が遊技球を検出することを条件として前記特別入賞口への遊技球の入賞に基づく特別遊技状態の発生を有効化する制御を行う制御手段を備えた遊技機において、
前記制御手段は、
前記予備遊技状態の発生に基づいた前記可動部材の開放動作時間経過後に予備時間を設け、
前記予備時間内に前記入賞検出手段が遊技球を検出しない場合は、当該予備時間の経過後に、前記始動入賞口への入賞に基づく予備遊技状態の発生を有効化し、
前記予備時間内に前記入賞検出手段が遊技球を検出した場合は、特別遊技状態の発生を有効化して、当該予備時間に延長時間を加えた時間の経過後に、前記特別入賞口への入賞に基づく前記特別遊技状態の発生を無効化するとともに前記始動入賞口への入賞に基づく前記予備遊技状態の発生を有効化することを特徴とする遊技機。
【請求項３】
前記始動入賞口への遊技媒体の入賞に基づいて予備遊技状態が発生するのと並行して、遊技装飾演出を第１の演出状態から第２の演出状態へ切り換えるように構成され、
前記制御手段は、前記予備時間内に前記入賞検出手段が遊技球を検出しない場合にも、前記予備時間に延長時間を加えた時間が経過するまで第２の演出状態とすることを特徴とする請求項１または請求項２に記載の遊技機。
【請求項４】
前記特別入賞口もしくは一般入賞口を通過し前記変動入賞装置から流出される遊技球を検出する流出検出手段と、
前記変動入賞装置に入賞した遊技球の前記特別入賞口への誘導動作を行う誘導部材と、
を備え、
前記制御手段は、前記入賞検出手段と前記流出検出手段からの検出信号に基づいて、前記変動入賞装置内の遊技球の残留の有無を監視する残留遊技媒体監視手段を備え、
前記残留遊技媒体監視手段により前記変動入賞装置内に遊技球が残留していないことが確認されたことを条件として、前記誘導部材の誘導動作を終了することを特徴とする請求項１から請求項３の何れかに記載の遊技機。
【手続補正２】
【補正対象書類名】明細書
【補正対象項目名】０００１
【補正方法】変更
【補正の内容】
【０００１】
【発明の属する技術分野】
この発明は、始動入賞口と、入口を開閉動作する可動部材を有するとともに、該入口により受け入れられた遊技球が特別入賞口或いは一般入賞口を通過するように構成された変動入賞装置とを遊技盤の遊技領域に備え、前記変動入賞装置は、当該変動入賞装置の入口より導入された遊技球を前記特別入賞口及び前記一般入賞口の前段で検出する入賞検出手段を備え、前記始動入賞口への遊技球の入賞に基づき前記変動入賞装置の可動部材を開閉動作する予備遊技状態と、当該予備遊技状態で前記特別入賞口に遊技球が入賞したことに基づき前記変動入賞装置の可動部材を開閉動作する特別遊技状態とに制御可能で、前記予備遊技状態の発生により、前記特別入賞口への遊技球の入賞に基づく前記特別遊技状態の発生を有効化し、且つ、他の遊技球の前記始動入賞口への入賞に基づく予備遊技状態の発生を無効化する制御を行う制御手段を備えた遊技機に関する。
【手続補正３】
【補正対象書類名】明細書
【補正対象項目名】００２１
【補正方法】変更
【補正の内容】
【００２１】
また、遊技者の中には、予備遊技状態における特別遊技状態の発生に対する期待感が低い始動入賞無効時間帯には、球を１個ずつ発射（いわゆる止め打ち）する者もおり、遊技機の稼働率を低下させるという問題もあった。
【手続補正４】
【補正対象書類名】明細書
【補正対象項目名】００２３
【補正方法】変更
【補正の内容】
【００２３】
【課題を解決するための手段】
上記目的を達成するため、本発明に係る遊技機は、始動入賞口と、入口を開閉動作する可動部材を有するとともに、該入口により受け入れられた遊技球が特別入賞口或いは一般入賞口を通過するように構成された変動入賞装置とを遊技盤の遊技領域に備え、前記変動入賞装置は、当該変動入賞装置の入口より導入された遊技球を前記特別入賞口及び前記一般入賞口の前段で検出する入賞検出手段を備え、前記始動入賞口への遊技球の入賞に基づき前記変動入賞装置の可動部材を開閉動作する予備遊技状態と、当該予備遊技状態で前記特別入賞口に遊技球が入賞したことに基づき前記変動入賞装置の可動部材を開閉動作する特別遊技状態と、に制御可能で、前記予備遊技状態の発生により、前記特別入賞口への遊技球の入賞に基づく前記特別遊技状態の発生を有効化し、且つ、他の遊技球の前記始動入賞口への入賞に基づく予備遊技状態の発生を無効化する制御を行う制御手段を備えた遊技機において、前記制御手段は、前記予備遊技状態の発生に基づいた前記可動部材の開放動作時間経過後に予備時間を設け、前記予備時間内に前記入賞検出手段が遊技球を検出しない場合は、当該予備時間の経過後に、前記特別入賞口への入賞に基づく特別遊技状態の発生を無効化するとともに前記始動入賞口への入賞に基づく予備遊技状態の発生を有効化する一方、前記予備時間内に前記入賞検出手段が遊技球を検出した場合は、当該予備時間に延長時間を加えた時間の経過後に、前記特別入賞口への入賞に基づく前記特別遊技状態の発生を無効化するとともに前記始動入賞口への入賞に基づく前記予備遊技状態の発生を有効化する制御を行うようにした。
【手続補正５】
【補正対象書類名】明細書
【補正対象項目名】００２４
【補正方法】変更
【補正の内容】
【００２４】
また、他の発明に係る遊技機は、始動入賞口と、入口を開閉動作する可動部材を有するとともに、該入口により受け入れられた遊技球が特別入賞口或いは一般入賞口を通過するように構成された変動入賞装置とを遊技盤の遊技領域に備え、
前記変動入賞装置は、当該変動入賞装置の入口より導入された遊技球を前記特別入賞口及び前記一般入賞口の前段で検出する入賞検出手段を備え、前記始動入賞口への遊技球の入賞に基づき前記変動入賞装置の可動部材を開閉動作する予備遊技状態と、当該予備遊技状態で前記特別入賞口に遊技球が入賞したことに基づき前記変動入賞装置の可動部材を開閉動作する特別遊技状態と、に制御可能で、前記予備遊技状態の発生により、他の遊技球の前記始動入賞口への入賞に基づく予備遊技状態の発生を無効化し、且つ、前記入賞検出手段が遊技球を検出することを条件として前記特別入賞口への遊技球の入賞に基づく特別遊技状態の発生を有効化する制御を行う制御手段を備えた遊技機において、前記制御手段は、前記予備遊技状態の発生に基づいた前記可動部材の開放動作時間経過後に予備時間を設け、前記予備時間内に前記入賞検出手段が遊技球を検出しない場合は、当該予備時間の経過後に、前記始動入賞口への入賞に基づく予備遊技状態の発生を有効化し、前記予備時間内に前記入賞検出手段が遊技球を検出した場合は、特別遊技状態の発生を有効化して、当該予備時間に延長時間を加えた時間の経過後に、前記特別入賞口への入賞に基づく前記特別遊技状態の発生を無効化するとともに前記始動入賞口への入賞に基づく前記予備遊技状態の発生を有効化する制御を行うようにした。
なお、前記始動入賞口への遊技媒体の入賞に基づいて予備遊技状態が発生するのと並行して、遊技装飾演出を第１の演出状態から第２の演出状態へ切り換えるように構成され、前記制御手段は、前記予備時間内に前記入賞検出手段が遊技球を検出しない場合にも、前記予備時間に延長時間を加えた時間が経過するまで第２の演出状態とするようにしてもよい。
また、前記特別入賞口もしくは一般入賞口を通過し前記変動入賞装置から流出される遊技球を検出する流出検出手段と、前記変動入賞装置に入賞した遊技球の前記特別入賞口への誘導動作を行う誘導部材とを備え、前記制御手段は、前記入賞検出手段と前記流出検出手段からの検出信号に基づいて、前記変動入賞装置内の遊技球の残留の有無を監視する残留遊技媒体監視手段を備え、前記残留遊技媒体監視手段により前記変動入賞装置内に遊技球が残留していないことが確認されたことを条件として、前記誘導部材の誘導動作を終了するようにしてもよい。
【手続補正６】
【補正対象書類名】明細書
【補正対象項目名】００７３
【補正方法】変更
【補正の内容】
【００７３】
そして、始動遊技についても、前述した第１始動入賞口５への入賞の場合と同様に、ＳＷ２のＯＮに続いてＶ誘導部材用モータ２３が駆動を開始して、最上部位置にあるＶ誘導部材１７を下降し始め、最下部位置でＶ誘導部材用モータ制御センサ２５の検出により停止する。このようなＶ誘導部材１７７の下降による最下部位置での停止は、前述した羽根部材１２，１２の開放動作に先立って行われ、かつ、羽根部材１２，１２の２回開放動作後の０．３７秒経過まで行われる。その０．３７秒経過後、Ｖ誘導部材用モータ２３の駆動によりＶ誘導部材１７が上昇して最上部位置に戻される。
【手続補正７】
【補正対象書類名】明細書
【補正対象項目名】０１７０
【補正方法】変更
【補正の内容】
【０１７０】
【発明の効果】
以上述べたように、本発明に係る遊技機によれば、始動入賞口と、入口を開閉動作する可動部材を有するとともに、該入口により受け入れられた遊技球が特別入賞口或いは一般入賞口を通過するように構成された変動入賞装置とを遊技盤の遊技領域に備え、前記変動入賞装置は、当該変動入賞装置の入口より導入された遊技球を前記特別入賞口及び前記一般入賞口の前段で検出する入賞検出手段を備え、前記始動入賞口への遊技球の入賞に基づき前記変動入賞装置の可動部材を開閉動作する予備遊技状態と、当該予備遊技状態で前記特別入賞口に遊技球が入賞したことに基づき前記変動入賞装置の可動部材を開閉動作する特別遊技状態と、に制御可能で、前記予備遊技状態の発生により、前記特別入賞口への遊技球の入賞に基づく前記特別遊技状態の発生を有効化し、且つ、他の遊技球の前記始動入賞口への入賞に基づく予備遊技状態の発生を無効化する制御を行う制御手段を備えた遊技機において、前記制御手段は、前記予備遊技状態の発生に基づいた前記可動部材の開放動作時間経過後に予備時間を設け、前記予備時間内に前記入賞検出手段が遊技球を検出しない場合は、当該予備時間の経過後に、前記特別入賞口への入賞に基づく特別遊技状態の発生を無効化するとともに前記始動入賞口への入賞に基づく予備遊技状態の発生を有効化する一方、前記予備時間内に前記入賞検出手段が遊技球を検出した場合は、当該予備時間に延長時間を加えた時間の経過後に、前記特別入賞口への入賞に基づく前記特別遊技状態の発生を無効化するとともに前記始動入賞口への入賞に基づく前記予備遊技状態の発生を有効化する制御を行うように構成されているので、予備遊技状態において可動部材によって遊技球が拾われずに入賞検出手段による入賞が検出されなかった場合には、余り間をおかずに始動入賞口への入賞が有効になるので遊技者の不快感を低減して遊技に対する興趣を向上させることができるという効果がある。
【手続補正８】
【補正対象書類名】明細書
【補正対象項目名】０１７１
【補正方法】変更
【補正の内容】
【０１７１】
また、他の発明に係る遊技機によれば、始動入賞口と、入口を開閉動作する可動部材を有するとともに、該入口により受け入れられた遊技球が特別入賞口或いは一般入賞口を通過するように構成された変動入賞装置とを遊技盤の遊技領域に備え、前記変動入賞装置は、当該変動入賞装置の入口より導入された遊技球を前記特別入賞口及び前記一般入賞口の前段で検出する入賞検出手段を備え、前記始動入賞口への遊技球の入賞に基づき前記変動入賞装置の可動部材を開閉動作する予備遊技状態と、当該予備遊技状態で前記特別入賞口に遊技球が入賞したことに基づき前記変動入賞装置の可動部材を開閉動作する特別遊技状態とに制御可能で、前記予備遊技状態の発生により、他の遊技球の前記始動入賞口への入賞に基づく予備遊技状態の発生を無効化し、且つ、前記入賞検出手段が遊技球を検出することを条件として前記特別入賞口への遊技球の入賞に基づく特別遊技状態の発生を有効化する制御を行う制御手段を備えた遊技機において、前記制御手段は、前記予備遊技状態の発生に基づいた前記可動部材の開放動作時間経過後に予備時間を設け、前記予備時間内に前記入賞検出手段が遊技球を検出しない場合は、当該予備時間の経過後に、前記始動入賞口への入賞に基づく予備遊技状態の発生を有効化し、前記予備時間内に前記入賞検出手段が遊技球を検出した場合は、特別遊技状態の発生を有効化して、当該予備時間に延長時間を加えた時間の経過後に、前記特別入賞口への入賞に基づく前記特別遊技状態の発生を無効化するとともに前記始動入賞口への入賞に基づく前記予備遊技状態の発生を有効化する制御を行うように構成されているので、予備遊技状態において可動部材によって遊技球が拾われずに入賞検出手段による入賞が検出されなかった場合には、余り間をおかずに始動入賞口への入賞が有効になるので遊技者の不快感を低減して遊技に対する興趣を向上させることができるという効果がある。
さらに、他の発明に係る遊技機によれば、前記始動入賞口への遊技媒体の入賞に基づいて予備遊技状態が発生するのと並行して、遊技装飾演出を第１の演出状態から第２の演出状態へ切り換えるように構成され、前記制御手段は、前記予備時間内に前記入賞検出手段が遊技球を検出しない場合にも、前記予備時間に延長時間を加えた時間が経過するまで第２の演出状態とするようにできるので、遊技者の遊技球が余り入賞していないという印象を軽減することができ、遊技者の不快感を低減することができるという効果がある。
【手続補正９】
【補正対象書類名】図面
【補正対象項目名】補正内容のとおり
【補正方法】変更
【補正の内容】
【補正対象書類名】明細書
【補正対象項目名】図６
【補正方法】変更
【補正の内容】
【図６】2000334103.tif 000001